【手続補正書】
【提出日】平成20年2月12日(2008.2.12)
【手続補正１】
【補正対象書類名】特許請求の範囲
【補正対象項目名】全文
【補正方法】変更
【補正の内容】
【特許請求の範囲】
【請求項１】
第１の照明手段と、
互いの発光量比を変更できる複数色の光源を有する第２の照明手段と、
前記第１の照明手段が発光した際の、前記第１の照明手段の発光による第１の環境光が支配的である第１の領域の色評価値と、前記第１の照明手段による発光とは異なる第２の環境光が支配的である第２の領域の色評価値を求める評価手段と、
前記第１の領域と前記第２の領域の色評価値から、前記第１の照明手段が発光した際の前記第１の領域の色評価値を前記第２の領域の色評価値に近づけるための、前記第２の照明手段の前記複数色の光源の発光量比を求める制御手段とを有することを特徴とする照明撮影装置。
【請求項２】
前記第２の照明手段は、前記制御手段にて求められた前記発光量比にて、前記第１の領域に対して発光を行うことを特徴とする請求項１に記載の照明撮影装置。
【請求項３】
前記評価手段は、前記第１の照明手段が発光したときの輝度値と、前記第１の照明手段が発光していないときの輝度値の差が、所定値以上である領域を、前記第１の領域であるとみなすことを特徴とする請求項１または２に記載の照明撮影装置。
【請求項４】
前記第２の照明手段は、赤、緑、青の３色の光源を有することを特徴とする請求項１ないし３のいずれかに記載の照明撮影装置。
【請求項５】
前記第２の照明手段は、発光ダイオードであることを特徴とする請求項１ないし４のいずれかに記載の照明撮影装置。
【請求項６】
第１の照明手段と、互いの発光量比を変更できる複数色の光源を有する第２の照明手段を制御する撮影装置であって、
前記第１の照明手段が発光した際の、前記第１の照明手段の発光による第１の環境光が支配的である第１の領域の色評価値と、前記第１の照明手段による発光とは異なる第２の環境光が支配的である第２の領域の色評価値を求める評価手段と、
前記第１の領域と前記第２の領域の色評価値から、前記第１の照明手段が発光した際の前記第１の領域の色評価値を前記第２の領域の色評価値に近づけるための、前記第２の照明手段の前記複数色の光源の発光量比を求める制御手段とを有することを特徴とする撮影装置。
【手続補正２】
【補正対象書類名】明細書
【補正対象項目名】発明の名称
【補正方法】変更
【補正の内容】
【発明の名称】照明撮影装置及び撮影装置
【手続補正３】
【補正対象書類名】明細書
【補正対象項目名】０００４
【補正方法】変更
【補正の内容】
【０００４】
（発明の目的）
本発明の目的は、主たる環境光とは異なる別の環境光が存在する状況での照明撮影時に、別の環境光が支配的な領域の色温度を主たる環境光が支配的な領域の色温度に一致させることを可能にする照明撮影装置及び撮影装置を提供することである。
【手続補正４】
【補正対象書類名】明細書
【補正対象項目名】０００５
【補正方法】変更
【補正の内容】
【０００５】
上記目的を達成するために、請求項１に記載の本発明は、第１の照明手段と、互いの発光量比を変更できる複数色の光源を有する第２の照明手段と、前記第１の照明手段が発光した際の、前記第１の照明手段の発光による第１の環境光が支配的である第１の領域の色評価値と、前記第１の照明手段による発光とは異なる第２の環境光が支配的である第２の領域の色評価値を求める評価手段と、前記第１の領域と前記第２の領域の色評価値から、前記第１の照明手段が発光した際の前記第１の領域の色評価値を前記第２の領域の色評価値に近づけるための、前記第２の照明手段の前記複数色の光源の発光量比を求める制御手段とを有する照明撮影装置とするものである。
【手続補正５】
【補正対象書類名】明細書
【補正対象項目名】０００６
【補正方法】変更
【補正の内容】
【０００６】
また同じく、請求項６に記載の本発明は、第１の照明手段と、互いの発光量比を変更できる複数色の光源を有する第２の照明手段を制御する撮影装置であって、前記第１の照明手段が発光した際の、前記第１の照明手段の発光による第１の環境光が支配的である第１の領域の色評価値と、前記第１の照明手段による発光とは異なる第２の環境光が支配的である第２の領域の色評価値を求める評価手段と、前記第１の領域と前記第２の領域の色評価値から、前記第１の照明手段が発光した際の前記第１の領域の色評価値を前記第２の領域の色評価値に近づけるための、前記第２の照明手段の前記複数色の光源の発光量比を求める制御手段とを有する撮影装置とするものである。
【手続補正６】
【補正対象書類名】明細書
【補正対象項目名】０００７
【補正方法】削除
【補正の内容】
【手続補正７】
【補正対象書類名】明細書
【補正対象項目名】００３６
【補正方法】変更
【補正の内容】
【００３６】
２０７は閃光発光制御用モニタ回路であり、センサ（ＰＤ１）３０の出力を増幅する。２０８は閃光発光制御用モニタ回路２０７の出力を積分する積分回路である。２０９はフラット発光制御用モニタ回路であり、センサ（ＰＤ２）３１の出力を増幅する。２１０は前記フラット発光時間等を記憶する記憶手段であるＥＥＰＲＯＭである。２１１は発光可能かどうかの状態を示すＬＥＤである。３２Ｒ、３２Ｇ、３２Ｂは第２の照明手段であるＲ，Ｇ，ＢのＬＥＤであり、アノードは電源である電池（ｂａｔｔｅｒｙ）と接続され、カソードは既存の定電流回路３７，３８，３９と接続されている。
【手続補正８】
【補正対象書類名】明細書
【補正対象項目名】００７０
【補正方法】変更
【補正の内容】
【００７０】
上記の式（１３）〜（１５）により求めた各測光エリアにおける色評価値Ｃｘｆ、ＣｙｆをＣｘ−Ｃｙ軸からなる２次元の座標上にプロットする。ここで、プリ測光時に得た輝度値とプリ前測光時に得た画面全体の輝度値の平均値との差が所定値以上である測光エリアは、画面全体の支配的な環境光とは異なる別の環境光が照射されているとみなし、該当する測光エリアについては除外して以下に示す主たる環境光の色評価値の演算を行う。このようにすることで、第２の照明手段によって誤って被写体色を打ち消してしまう確率を減らすことができる。図９（ａ）に示すＲ１〜Ｒ６の領域内に含まれる色評価値の測光エリアの個数をカウントし、個数が最も多い領域内の測光エリアのＲ，Ｇ，Ｂの積分値から、プリ発光時において画面全体で最も支配的な主たる環境光の色評価値ＣｘｆＳ、ＣｙｆＳを演算する（ステップＳ２０４）。あるエリアに他の部分とは異なる別の環境光が照射されている場合、そのエリアの輝度値は他のエリアと比べて高くなっていると考えられる（主たる環境光の輝度＋別の環境光の輝度の和が得られるため）。上記の演算では、輝度値の高いエリアについては除外して色評価値を算出しているので、画面全体において最も支配的な主たる環境光の色評価値を求めることができる。
【手続補正９】
【補正対象書類名】明細書
【補正対象項目名】００７２
【補正方法】変更
【補正の内容】
【００７２】
ステップＳ２０６では、画面全体において最も支配的な主たる環境光とは異なる別の環境光が支配的な領域を求め、その領域に対してＲ，Ｇ，ＢのＬＥＤを発光させる。画面全体のプリ測光時の輝度値の平均値をＥｖＡｖｇＲ，ＥｖＡｖｇＧ，ＥｖＡｖｇＢとすると、以下の値ＣＴｈが所定値以上の測光エリアは、画面全体において最も支配的な主たる環境光とは異なる別の環境光が支配的であるものとする。